(57)【要約】【課題】  撮像手段だけを異なる性能等のものに交換することができると共に、撮像手段を備えていなかった場合でも新たに撮像手段だけを備えることができる携帯端末装置を提供する。【解決手段】  撮像手段２６を有し係合部４ｂが設けられたカメラユニット４、又はこのカメラユニット４と同一の係合部２４ｂが設けられたカバーユニット２４のいずれかを選択的に備え、係合部４ｂ，２４ｂと係合する装着部１６が本体部１４に設けられるようにした。【効果】  撮像手段だけを異なる性能のもの等に交換することができると共に、撮像手段を備えていなかった場合でも新たに撮像手段だけを備えることができるようになる。【選択図】      図１
2005318199.tif 000002
【特許請求の範囲】
【請求項１】
撮像手段を有し係合部が設けられたカメラユニット、又はこのカメラユニットと同一の係合部が設けられたカバーユニットのいずれかを選択的に備え、
前記係合部と係合する装着部が本体部に設けられていることを特徴とする携帯端末装置。
【請求項２】
前記カメラユニットは、互いに同一の係合部が設けられると共に互いに同一又は異なる撮像手段を有するもののいずれかであることを特徴とする請求項１に記載の携帯端末装置。
【請求項３】
前記カメラユニットは、前記撮像手段に関するカメラ情報を記憶する記憶手段、及び前記本体部からの撮影についての命令を受信したときに該撮像手段を制御すると共に該撮像手段により撮影される画像データを該本体部に出力するカメラ側制御手段を有すると共に、
前記本体部は、
装着された前記カメラユニットの前記カメラ情報を取得するカメラ情報取得手段と、
撮影についての操作が行われた場合に、前記カメラユニットに前記カメラ情報に対応する撮影についての命令を出力する本体側制御手段と、
前記カメラユニットによって撮影された画像データを取得する画像データ取得手段と、
前記画像データ取得手段により取得した画像データを表示する表示手段と、
前記カメラユニットに電源を供給する電源手段と
を有することを特徴とする請求項１又は請求項２に記載の携帯端末装置。
【請求項４】
前記本体部は、互いに折畳み自在に連結される第１筐体と第２筐体を備え、
前記装着部は前記第１筐体内に設けられると共に、
前記装着部と前記カメラユニットが互いに係合したときに、前記第１筐体における前記第２筐体に対向する面からカメラユニットの一部が突出し且つ撮像レンズが露出するように係合する構造を有し、
前記第２筐体は、前記第１筐体に対向する面の前記装着部に対応する位置に所定形状の凹部が形成されていることを特徴とする請求項１ないし請求項３のいずれかに記載の携帯端末装置。
【請求項５】
携帯端末装置の本体部に着脱可能であって、
撮像レンズ及び撮像素子を有する撮像手段と、
前記撮像手段に関するカメラ情報を記憶する記憶手段と、
前記本体部から前記カメラ情報に対応する撮影についての命令を受信した場合に、前記撮像手段を制御すると共に該撮像手段により撮影した画像データを本体部に出力するカメラ側制御手段と
を備えたことを特徴とするカメラユニット。
【発明の詳細な説明】
【技術分野】
【０００１】
本発明は、複数のカメラユニット等の中からいずれかを選択的に備えて、このカメラユニットが着脱自在にされる携帯電話機等の携帯端末装置、及びこのような携帯端末装置に着脱自在のカメラユニットに関するものである。
【背景技術】
【０００２】
従来において、撮像機能を備えるような携帯端末装置として、例えば、撮像機能を備える携帯電話機やＰＤＡ（Ｐｅｒｓｏｎａｌ  Ｄｉｇｉｔａｌ  Ａｓｓｉｓｔａｎｔ）があった。このような携帯端末装置に係る第１の従来技術として、ＣＣＤ（Ｃｈａｒｇｅ  Ｃｏｕｐｌｅｄ  Ｄｅｖｉｃｅ）等の撮像素子を用いた撮像手段が、携帯端末装置の筐体に固定して設けられるようにしたものがあった。
【０００３】
一方、前記第１の従来技術のように、撮像手段が筐体に固定して設けられた携帯端末装置は、撮像手段が設けられた分だけ筐体が大型化して携帯性が損なわれる。そのため、第２の従来技術として、撮像手段を着脱式にして、撮像機能を利用しないときには撮像手段を取り外しておくことにより、携帯性を損なわないようにしたものがあった（例えば、特許文献１参照）。
【０００４】
また、前記第１の従来技術のように、撮像手段が筐体に固定された携帯端末装置では、ユーザーが自身を撮影する場合には、撮像方向を自分に向けながら、この撮像機能付き携帯端末装置を保持する手を伸ばした姿勢で撮影することになる。
【０００５】
そのため、自分を撮影するときの撮影距離を、自分の手の長さ以上にすることができないという問題を解決するため、第３の従来技術として、撮像手段を筐体の本体部から着脱自在にすると共に、この撮像手段が本体部から無線通信で制御可能となるようにして、離れた位置からでも撮影することができるようにしたものがあった（例えば、特許文献２参照）。
【０００６】
また、前記第１の従来技術のように、撮像手段が筐体に固定して設けられた携帯端末装置は、撮像機能付き携帯電話機のように通信機能を備えていたとしても、撮像手段及び表示手段等が筐体に一体的に固定されているため、テレビ電話のように自分の顔を撮影すると共に相手の画像を見ながら通話することができない。そのため、第４の従来技術として、撮像手段と表示手段のそれぞれが、筐体の本体部から着脱自在となるようにして、テレビ電話のように利用することができるようにしたものがあった（例えば、特許文献３参照）。
【０００７】
また、前記第１の従来技術のように、撮像手段が筐体に固定して設けられた携帯端末装置の中には、この撮像手段に併せてストロボ等の閃光手段が設けられているものがある。しかし、ユーザーによっては、このような閃光手段を不要と考えたり、また、撮像手段についても不要と考える場合がある。
【０００８】
このような場合に、閃光手段や撮像手段を有する携帯端末装置に、撮像機能以外の他の機能であってユーザーにとって必要な機能が備わっている場合などには、閃光手段や撮像手段が不要でも、選択の余地が無いために購入せざるを得ない場合があるという問題があったため、第５の従来技術として、携帯端末装置の本体部に対して電池カバーが着脱式になっていることに着目し、この電池カバーに閃光手段や撮像手段等が選択的に設けられると共に、この電池カバーを互いに交換可能にして、ユーザーの選択の幅が広がるようにしたものがあった。
【特許文献１】特開平１１−１３６６５３号公報
【特許文献２】特開２００２−３３５４３４号公報
【特許文献３】特開２００３−３２３４４号公報
【発明の開示】
【発明が解決しようとする課題】
【０００９】
しかしながら、前記第１の従来技術のように、撮像手段が筐体に固定されている携帯端末装置では、撮像手段だけをその性能が向上しているものに変更したい場合や、例えば、この撮像手段の撮像素子が低解像度、標準解像度又は高解像度であるもの、或は、撮像レンズが広角レンズ又は望遠レンズであるものの中からいずれかに変更したいような場合でも、撮像手段だけを交換することはできず、携帯端末装置全体として、新たなものを取得しなければならないという問題があった。
【００１０】
また、このような第１の従来技術では、撮像手段を備えていない他の携帯端末装置を利用していたユーザーが、撮像手段を利用したくなったような場合には、撮像手段を備える新たな携帯端末装置を取得しなければならないという問題があった。
【００１１】
また、前記第２ないし第４の従来技術に係る携帯端末装置では、その筐体の本体部に対して撮像手段が着脱自在にされているが、これらは本体部と撮像手段の個々の関係において着脱自在になっているものであって、特定の本体部に対して他の異なる性能等を有する撮像手段を取付けた場合に、本体部と撮像手段との間の互いの整合性を保証するようになっているものではなかった。
【００１２】
また、前記第５の従来技術に係る携帯端末装置では、電池カバーに撮像手段が設けられているだけでなく、例えば閃光手段のような撮像手段以外の他の装置が一緒に設けられているような場合には、撮像手段だけを取り換えたくても、閃光手段等の他の装置と一緒に電池カバー全体を交換しなければならないため、撮像手段が筐体に固定されている前記第１の従来技術に係る携帯端末装置と同様の問題を有していた。
【００１３】
また、このような前記第５の従来技術に係る携帯端末装置では、前記第２ないし第４の従来技術と同様に、特定の本体部に対して異なる性能等を有する撮像手段を有する電池カバーを取付けた場合に、本体部と撮像手段との間の互いの整合性を保証するようになっているものではなかった。
【００１４】
そこで本発明は、上記問題点に鑑みて、撮像手段だけを異なる性能等のものに交換することができると共に、撮像手段を備えていなかった場合でも新たに撮像手段だけを備えることができる携帯端末装置、及びこのような携帯端末装置に用いられるカメラユニットを提供することを課題とするものである。
【課題を解決するための手段】
【００１５】
上記課題を解決するために、本発明による携帯端末装置は、
撮像手段を有し係合部が設けられたカメラユニット、又はこのカメラユニットと同一の係合部が設けられたカバーユニットのいずれかを選択的に備え、
前記係合部と係合する装着部が本体部に設けられていることを特徴とするものである。
【００１６】
また、本発明による携帯端末装置は、
前記カメラユニットは、互いに同一の係合部が設けられると共に互いに同一又は異なる撮像手段を有するもののいずれかであることを特徴とするものである。
【００１７】
また、本発明による携帯端末装置は、
前記カメラユニットは、前記撮像手段に関するカメラ情報を記憶する記憶手段、及び前記本体部からの撮影についての命令を受信したときに該撮像手段を制御すると共に該撮像手段により撮影される画像データを該本体部に出力するカメラ側制御手段を有すると共に、
前記本体部は、
装着された前記カメラユニットの前記カメラ情報を取得するカメラ情報取得手段と、
撮影についての操作が行われた場合に、前記カメラユニットに前記カメラ情報に対応する撮影についての命令を出力する本体側制御手段と、
前記カメラユニットによって撮影された画像データを取得する画像データ取得手段と、
前記画像データ取得手段により取得した画像データを表示する表示手段と、
前記カメラユニットに電源を供給する電源手段と
を有することを特徴とするものである。
【００１８】
また、本発明による携帯端末装置は、
前記本体部は、互いに折畳み自在に連結される第１筐体と第２筐体を備え、
前記装着部は前記第１筐体内に設けられると共に、
前記装着部と前記カメラユニットが互いに係合したときに、前記第１筐体における前記第２筐体に対向する面からカメラユニットの一部が突出し且つ撮像レンズが露出するように係合する構造を有し、
前記第２筐体は、前記第１筐体に対向する面の前記装着部に対応する位置に所定形状の凹部が形成されていることを特徴とするものである。
【００１９】
また、上記課題を解決するために、本発明によるカメラユニットは、
携帯端末装置の本体部に着脱可能であって、
撮像レンズ及び撮像素子を有する撮像手段と、
前記撮像手段に関するカメラ情報を記憶する記憶手段と、
前記本体部から前記カメラ情報に対応する撮影についての命令を受信した場合に、前記撮像手段を制御すると共に該撮像手段により撮影した画像データを本体部に出力するカメラ側制御手段と
を備えたことを特徴とするものである。
【発明の効果】
【００２０】
このような本発明の携帯端末装置及びカメラユニットによれば、撮像手段だけを異なる性能のもの等に交換することができると共に、撮像手段を備えていなかった場合でも新たに撮像手段だけを備えることができるようになる。
【発明を実施するための最良の形態】
【００２１】
以下、本発明に係る重ね型携帯端末装置の実施の形態について、図面に基づいて具体的に説明する。
図１ないし図６は、本発明の一実施の形態に係る携帯電話機２（携帯端末装置に相当）及びそのカメラユニット４について説明するために参照する図である。
【００２２】
図１に示すように、本実施の形態に係る携帯電話機２は、テンキー等により構成される操作手段６を有する第１筐体８と、ＬＣＤ（液晶表示部）等の表示手段１０を有する第２筐体１２が、互いに折畳み自在に連結されている。この第１筐体８と第２筐体１２は、携帯電話機２の本体部１４を構成する。また、操作手段６は、第１筐体８の操作面８ａに配置されている。
【００２３】
図示しないが、第１筐体８と第２筐体１２は、互いに折畳んだ状態のときに、その操作面８ａと表示手段１０の表示方向が互いに向き合うように重ねられて、操作面８ａ及び表示手段１０の表示面のそれぞれが、外部に露出しないようになっている。
【００２４】
また、図１に示すように、携帯電話機２は、着脱自在のカメラユニット４を備えている。このカメラユニット４は、不図示のＣＣＤ等の撮像素子と撮像レンズ４ａを有しており、撮像素子はカメラユニット４の内部に配置されている。そして、撮像レンズ４ａは撮像素子の撮像軸線上であって、この撮像軸線方向におけるこのカメラユニット４が有する長さの一方の端面に配置され、外部に露出するようになっている。また、このカメラユニット４は、その撮像軸線方向における長さ中間部の外周が雄ネジ部４ｂ（係合部に相当）として形成されている。
【００２５】
また、第１筐体８には、カメラユニット４の雄ネジ部４ｂに対応する雌ネジ部１６（装着部に相当）が、操作面８ａに開口するように設けられている。カメラユニット４は、その撮像レンズ４ａ側の端部とは反対側の端部から、この雌ネジ部１６に挿入して、雄ネジ部４ｂと雌ネジ部１６がネジ締結されることにより、第１筐体８に装着されるようになっている。
【００２６】
カメラユニット４は、第１筐体８に装着されると、その撮像軸線方向における撮像レンズ４ａ側の端部が、操作面８ａから突出した状態で固定されるので（図２参照）、図１に示すように、第２筐体１２には、折畳んだときに第１筐体８の操作面８ａと対向する面における雌ネジ部１６に対応する位置に、所定の形状の凹部１８が形成されている。この凹部１８の内部空間は、第１筐体８と第２筐体１２を互いに折畳んだときに、カメラユニット４の操作面８ａから突出する撮像レンズ４ａ側の端部を収納することができるように形成されている。
【００２７】
図２に示すように、カメラユニット４は、その撮像軸線方向における撮像レンズ４ａ側の端部と反対側の端部にコネクタ４ｃを有し、このコネクタ４ｃは、第１筐体８の内部の配線基板２０上に設けられたコネクタ２２と嵌合して、電気的に導通するようになっている。
【００２８】
図３に示すように、ユーザーが撮像機能を利用しないために、第１筐体８にカメラユニット４を装着しない場合には、このカメラユニット４に代えて、第１筐体８にカバーユニット２４を装着することができる。
【００２９】
このカバーユニット２４には、カメラユニット４の雄ネジ部４ｂと同一の雄ネジ部２４ｂ（係合部に相当）が形成されているので、カメラユニット４と同様に、第１筐体８の雌ネジ部１６にネジ締結することができるようになっている。
【００３０】
次に、携帯電話機２のカメラユニット４と本体部１４の回路構成について説明する。図４は、本体部１４にカメラユニット４が装着されている状態の回路構成を示す図である。
【００３１】
カメラユニット４は、撮像手段２６、カメラ側記憶手段２８、及びこれらを制御するカメラ側制御手段３０を備えている。撮像手段２６は図１に基づいて上記に説明した撮像レンズ４ａ及び不図示の撮像素子等により構成されている。カメラユニット４は、この撮像手段２６の撮像素子の性能が、低解像度、標準解像度又は高解像度であるものの３種類の中のいずれかであって、本体部１４には、このような３種類のカメラユニット４の中から、いずれかをユーザーが選択的に装着することができるようになっている。
【００３２】
カメラ側記憶手段２８は、不揮発性のメモリであって、図５に示すような、撮像手段２６に関するカメラ情報のテーブルを記憶している。同図に示すように、カメラ側記憶手段２８は、撮像手段２６の撮像素子が低解像度、標準解像度又は高解像度のいずれであるかによって、その２ビット（ｂｉｔ）の情報における１ビット目と２ビット目の組合せが、それぞれ「Ｈ（Ｈｉｇｈ）」と「Ｌ（Ｌｏｗ）」、「Ｌ」と「Ｈ」、又は「Ｌ」と「Ｌ」になるような情報をカメラ情報の一部として有している。
【００３３】
また、カメラ側記憶手段２８は、このような撮像素子の解像度についての情報だけでなく、カメラ情報の他の一部として、所定の通信先を特定するためのアドレス情報を記憶することができるようになっている。このようなアドレス情報には、ＵＲＬ（Ｕｎｉｆｏｒｍ  Ｒｅｓｏｕｒｃｅ  Ｌｏｃａｔｏｒ）のようなインターネット上のホームページの所在を指定するものの他に、通信網を介して接続可能な情報源の所在を特定するための他の表記法が含まれる。
【００３４】
ここで、カメラ情報とは、上記に説明したものに加え、解像度や画角、望遠か広角かの別、メーカー、規格、その他カメラユニット４の動作環境、画像データ取り込み制御、画像処理、操作メニュー等のようなカメラユニット４に関連する情報をいう。
【００３５】
カメラ側制御手段３０は、本体部１４から動作の開始や終了等の命令を受信し、この命令にもとづいて撮像手段を制御するようになっている。そして、カメラ側制御手段３０は、撮像手段２６から画素ごとのデータとして出力される色彩に関するＲＧＢｒａｗデータに対して、ＡＥ（Ａｕｔｏ  Ｅｘｐｏｓｕｒｅ）処理や、ＡＷＥ（Ａｕｔｏ  Ｗｈｉｔｅ  Ｂａｌａｎｃｅ）処理を施して、本体部１４に出力するようになっている。
【００３６】
ここで、ＡＥ処理とは、露出を最適化する処理をいい、ＡＷＥ処理とは、光源の影響等を受けることにより画像中の白色が他の色彩を帯びて表示されることを、赤色ゲインや青色ゲイン等の調整により防ぐ処理をいう。
【００３７】
次に、本体部１４は、既に説明した操作手段６及び表示手段１０の他に、カメラ情報取得手段３２、判別手段３４、本体側制御手段３６、画像データ取得手段３８、本体側記憶手段４０、送受信手段４２、及び電源４４を備えている。
【００３８】
図２に示すように、本体部１４（第１筐体８）にカメラユニット４が装着されて、カメラユニット４のコネクタ４ｃが配線基板２０のコネクタ２２に嵌合すると、図４に示す本体部１４のカメラ情報取得手段３２、本体側制御手段３６、画像データ取得手段３８のそれぞれは、カメラユニット４のカメラ側制御手段３０と回路接続される。また、電源４４は、本体部１４内の回路以外にも、本体部１４にカメラユニット４が装着されると、このカメラユニット４と導通して電流を供給するようになっている。
【００３９】
カメラ情報取得手段３２は、カメラ側制御手段３０と回路接続されると、このカメラ側制御手段３０を介して、カメラ側記憶手段２８のカメラ情報を引出し、これを保持する。また、カメラ側記憶手段２８のカメラ情報にアドレス情報が含まれていた場合には、このアドレス情報を本体側記憶手段４０に出力するようになっている。
【００４０】
判別手段３４は、カメラ情報取得手段３２がカメラ情報を取得した場合には、本体部１４にカメラユニット４が装着されたものと判別し、その旨の装着信号を本体側制御手段３６に出力するようになっている。
【００４１】
また、このような判別手段３４のように、カメラ情報取得手段３２がカメラ情報を取得したか否かによってカメラユニット４の装着を判別するものに代えて、本実施の形態とは異なる他の実施の形態として、本体部１４にカメラユニット４が装着されたことを直接的に検知して、その旨を装着信号として出力するような、光学的センサや磁気的センサ、又は機械的スイッチ等を判別手段３４として設けてもよい。
【００４２】
本体側制御手段３６は、装着信号を受信した後であって、操作手段６によりカメラモードを起動させる操作が行われた後においては、カメラユニット４に出力する撮影についての命令を、カメラ情報取得手段３２が保持するカメラ情報に対応して行なうようになっている。また、本体側制御手段３６は、画像データ取得手段３８に対して、画像データの処理を行なう際には、カメラ情報取得手段３２のカメラ情報に対応して行なうよう命令するようになっている。
【００４３】
画像データ取得手段３８は、本体側制御手段３６からの命令を受信すると、カメラ情報取得手段３２のカメラ情報に対応するデータを算出したり、本体側記憶手段４０に予め記憶されているプログラム等の中から、カメラ情報に対応するものを選択して引出したりするようになっており、カメラユニット４から画像データを受信すると、このようなデータやプログラム等に基づいて画像データの処理を施すようになっている。
【００４４】
すなわち、画像データ取得手段３８は、カメラ情報取得手段３２のカメラ情報に対応して、画像データの取り出しクロック周波数、ＪＰＥＧ圧縮レート、電子ズーム比、又は表示手段１０に表示する際の間引き率等を変更し、画像データを処理するようになっている。
【００４５】
そして、画像データ取得手段３８は、カメラユニット４から受信した画像データ、又はこの画像データに所定の処理を施したものを表示手段１０に表示させたり、または、本体側記憶手段４０に記憶させたりするようになっている。また、画像データは、図示されない外部記憶手段に記憶させることもでき、また、画像データは送受信手段４２を介して外部サーバに保存しておくことができる。
【００４６】
また、本体側記憶手段４０は、図示しないが、詳しくはＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）とフラッシュメモリを備えて構成されており、画像データが本体側記憶手段４０に記憶される場合には、カメラユニット４から受信した画像データが一旦ＳＤＲＡＭに記憶された後、このＳＤＲＡＭの画像データに対して画像データ取得手段３８がＪＰＥＧ圧縮の処理を施してから、この画像データがフラッシュメモリに記憶されるようになっている。
【００４７】
また、本体側記憶手段４０は、カメラ情報取得手段３２からアドレス情報を受信した場合には、このアドレス情報を記憶すると共に、このアドレス情報を送受信手段４２に出力し、送受信手段４２に、このアドレス情報により特定される所定の通信先との通信を自動的に開始させてから、カメラ情報に対応する所定のプログラム等を受信させるようになっている。送受信手段４２により受信されたプログラム等は、本体側記憶手段４０に記憶されるようになっている。
【００４８】
したがって、本体側記憶手段４０に、カメラ情報取得手段３２のカメラ情報に対応するプログラム等が予め記憶されていなかったような場合でも、カメラ情報のアドレス情報に対応して送受信手段４２が受信したプログラムが、本体側記憶手段４０に新たに追加されるようになっているので、画像データ取得手段３８は、常にカメラ情報取得手段３２のカメラ情報に対応するプログラム等を本体側記憶手段４０から引出し、カメラユニット４の画像データに対して適切な処理を行なうことができるようになっている。
【００４９】
次に、図６のフローチャートに基づき、ユーザーが携帯電話機２の撮像機能を利用するために、カメラモードを起動する操作を行なったときにおける本体側制御手段３６の処理動作について説明する。
【００５０】
カメラユニット４が本体部１４に装着された後に、操作手段６により、携帯電話機２が有する様々な機能の中からカメラモードを選択する操作が行われると、本体側制御手段３６は、カメラ情報取得手段３２が保持するカメラ情報に基づいて、カメラモードに移行するようになっている（ステップＳ１のＹＥＳ及びステップＳ２）。
【００５１】
カメラユニット４が本体部１４に装着されていない場合、又はカメラユニット４に代えてカバーユニット２４が装着されている場合には、カメラ情報取得手段３２はカメラ情報を保持していないため、本体側制御手段３６は、カメラモードには移行せずに処理動作を終了するようになっている（ステップＳ１のＮＯ）。
【００５２】
本体側制御手段３６は、ステップＳ２のカメラモードに移行すると、カメラ情報取得手段３２のカメラ情報に基づいて、装着されているカメラユニット４が低解像度、標準解像度又は高解像度のいずれであるかを判断して（ステップＳ３）、このステップ３以後は、それぞれの解像度に対応する処理手続を行なうようになっている（ステップＳ４ないしステップＳ６）。
【００５３】
このような本実施の形態に係る携帯電話器２及びそのカメラユニット４によれば、カメラユニット４だけを異なる性能等のものに交換することができ、また、カメラユニット４が不要であるような場合には、カメラユニット４に代えてカバーユニット２４を装着しておくことができる。また、カメラユニット４を備えていなかった場合でも、新たにカメラユニット４だけを装着して備えるようにすることができる。
【００５４】
また、カメラユニット４の一部が、本体部１４における第１筐体８の操作面８ａから突出するようになっているが、第２筐体１２に凹部１８が形成されていることにより、携帯電話機２の外形が複雑化したり大型化したりするのを防ぎ、携帯性を損なわないようにすることができる。
【００５５】
なお、本実施の形態において、本体部１４の雌ネジ部１６に、カメラユニット４が装着される場合には、このカメラユニット４は、その撮像素子の解像度が低解像度、標準解像度又は高解像度の中のいずれかになっていたが、他の実施の形態として、カメラユニット４は、その撮像レンズが望遠レンズ、標準レンズ又は広角レンズのいずれかになるようになっていてもよい。このような場合には、図５に示すカメラ情報は、撮像レンズの種類に対応して定められるようになることはいうまでもない。
【００５６】
また、カメラユニット４として、その撮像手段２６の解像度と撮像レンズ４ａのそれぞれが互いに異なるように、複合的に組合せられて複数のものが用意され、このようなカメラユニット４の中のいずれか又はカバーユニット２４が、雌ネジ部１６に装着されるようになっていてもよい。
【００５７】
また、カメラユニット４として、その撮像手段２６における解像度及び撮像レンズ４ａ以外の他の要素についての性能等が互いに異なるように複数のものが用意され、このようなカメラユニット４の中のいずれか又はカバーユニット２４が、雌ネジ部１６に装着されるようになっていてもよい。また、カメラユニット４は、その撮像手段２６における解像度及び撮像レンズ４ａ以外の他の要素の性能等と、解像度又は撮像レンズ４ａの性能について、これらが複合的に組合され、それぞれが互いに異なるように複数のものが用意されるようになってもよいことはいうまでもない。
【００５８】
つまり、撮像手段２６の解像度、画角、望遠又は広角等の別、メーカー、規格等が互いに異なるカメラユニット４についても、交換可能とすることができる。
【００５９】
また、本実施の形態においては、携帯電話機２について本発明を適用した場合について説明したが、ＰＤＡ等の他の携帯端末装置についても、適用することができる。また、撮像機能を備えるパーソナルコンピュータやオーディオ機器等のように、撮像機能を備えることができる他のデジタル家電についても、本発明を適用することができることはいうまでもない。
【図面の簡単な説明】
【００６０】
【図１】本発明の一実施の形態に係る携帯電話機２のカメラユニット４及び本体部１４を示す斜視図である。
【図２】図１に示す本体部１４の雌ネジ部１６にカメラユニット４を装着した場合のＡ−Ａ線矢視の断面図である。
【図３】図１に示す本体部１４の雌ネジ部１６にカバーユニット２４を装着した場合のＡ−Ａ線矢視の断面図である。
【図４】本発明の一実施の形態における携帯電話機２のカメラユニット４及び本体部１４のブロック図である。
【図５】図４に示すカメラ側記憶手段２８が保持するカメラ情報テーブルを示す図である。
【図６】図４に示す本体側制御手段３６の処理動作を示すフローチャートである。
【符号の説明】
【００６１】
２  携帯電話機
４  カメラユニット
４ａ  撮像レンズ
４ｂ  雄ネジ部（係合部）
４ｃ  コネクタ
６  操作手段
８  第１筐体
８ａ  操作面
１０  表示手段
１２  第２筐体
１４  本体部
１６  雌ネジ部（装着部）
１８  凹部
２０  配線基板
２２  コネクタ
２４  カバーユニット
２４ｂ  雄ネジ部（係合部）
２６  撮像手段
２８  カメラ側記憶手段
３０  カメラ側制御手段
３２  カメラ情報取得手段
３４  判別手段
３６  本体側制御手段
３８  画像データ取得手段
４０  本体側記憶手段
４２  送受信手段
４４  電源
【図１】
2005318199.tif 000003
【図２】
2005318199.tif 000004
【図３】
2005318199.tif 000005
【図４】
2005318199.tif 000006
【図５】
2005318199.tif 000007
【図６】
2005318199.tif 000008